(57)【特許請求の範囲】
【請求項１】
個々に体験室（２２ａ、２２ｂ、２２ｃ、２２ｄ）を区画するハウジングユニット（２１ａ、２１ｂ、２１ｃ、２１ｄ、８２ａ、８２ｂ）を相互に分離可能に結合し、動線（１５）に沿って直列に前記体験室（２２ａ〜２２ｄ）を配置し入口から出口に至る仕切りなく連続する空間を形成し、前記ハウジングユニットの数に応じて前記空間の大きさを調整するハウジング（１２）と、
体験室（２２ａ〜２２ｄ）ごとに設定される降雨量に従って雨滴を生成する雨滴生成装置（５３）と
を備えることを特徴とする降雨体験装置。
【請求項２】
請求項１に記載の降雨体験装置において、前記ハウジングユニット（２１ａ〜２１ｄ、８２ａ、８２ｂ）は、
前記室内空間を区画する室構成体（３２）と、
前記室構成体（３２）の天井端に連結されて、天井裏の空間を区画する屋根構成体（３３）と、
前記室構成体（３２）の床面端に連結されて、床下空間を区画する床下構成体（３４）と
を備えることを特徴とする降雨体験装置。
【請求項３】
請求項１または２に記載の降雨体験装置において、前記ハウジングユニット（２１ａ〜２１ｄ、８２ａ、８２ｂ）は、前記体験室（２２ａ〜２２ｄ）の側面に配置されて、前記体験室（２２ａ〜２２ｄ）の側面を塞ぐ透明部材（２９）を備えることを特徴とする降雨体験装置。
【請求項４】
請求項１〜３のいずれか１項に記載の降雨体験装置において、前記雨滴生成装置（５３）は、
前記体験室（２２ａ〜２２ｄ）ごとに天井面に設置され天井裏の空間および室内空間を相互に接続するルーバー（５４）と、
前記体験室（２２ａ〜２２ｄ）ごとに天井裏から前記ルーバー（５４）に向かって噴霧ノズル（５７）から水を噴霧する噴霧装置（５５）と、
前記体験室（２２ａ〜２２ｄ）ごとに天井裏から前記ルーバー（５４）を通過して前記室内空間に向かって送風する送風機（５６）と
を備えることを特徴とする降雨体験装置。
【請求項５】
請求項４に記載の降雨体験装置において、前記送風機（５６）は、下向きに開放される閉塞空間（４７ａ）内に配置されて、鉛直軸（５８ａ）回りに回転して下向きに気流を送り出す軸流れ式の送風ブレード（５８）を備えることを特徴とする降雨体験装置。
【請求項６】
請求項４または５に記載の降雨体験装置において、
前記噴霧ノズルに接続される減圧バルブ（６６ａ、６６ｂ、６６ｃ、６６ｄ）と、
前記減圧バルブ（６６ａ〜６６ｄ）に接続されて、個々の前記減圧バルブ（６６ａ〜６６ｄ）に水を供給する１台のポンプ（６７）と
を備えることを特徴とする降雨体験装置。
【請求項７】
請求項６に記載の降雨体験装置において、
前記ポンプ（６７）に接続されて、前記ポンプ（６７）で吸い上げられる水を貯留する貯水タンク（７５）と、
前記体験室（２２ａ〜２２ｄ）の床面に降った水を回収して前記貯水タンク（７５）に導く排水回収路（７６）と
を備えることを特徴とする降雨体験装置。
【発明の詳細な説明】
【技術分野】
【０００１】
本発明は、降雨量の程度に応じた様々な降雨状況や降雨強さを未経験者に模擬体験させる降雨体験装置に関する。
【背景技術】
【０００２】
特許文献１は降雨体験装置を開示する。ハウジング内に単一の体験室が区画される。体験室の天井部には複数の雨滴生成装置が設置される。雨滴生成装置ごとに相違する降雨量が設定される。規定の時間間隔で降雨量は切り替えられる。こうして利用者は複数の降雨量を体験することができる。
【先行技術文献】
【特許文献】
【０００３】
【特許文献１】特許第２８８４５１０号公報
【発明の概要】
【発明が解決しようとする課題】
【０００４】
特許文献１に記載の降雨体験装置ではハウジングの大きさは固定される。小さな設置スペースに合わせてハウジングの大きさが選択されると、体験者の人数が限られてしまう。その一方で、大きな設置スペースに合わせてハウジングの大きさが選択されると、設置場所が限られてしまい、体験者の対象範囲が狭められる。
【０００５】
本発明は、かかる事情に鑑みてなされたもので、効率的にさらに多数の人たちに降雨を体験してもらうことができる降雨体験装置を提供することを目的とする。
【課題を解決するための手段】
【０００６】
本発明の第１側面によれば、個々に体験室を区画するハウジングユニットを相互に分離可能に結合し、動線に沿って直列に前記体験室を配置するハウジングと、体験室ごとに設定される降雨量に従って雨滴を生成する雨滴生成装置とを備える降雨体験装置が提供される。
【０００７】
第２側面によれば、第１側面の構成に加えて、前記ハウジングユニットは、前記室内空間を区画する室構成体と、前記室構成体の天井端に連結されて、天井裏の空間を区画する屋根構成体と、前記室構成体の床面端に連結されて、床下空間を区画する床下構成体とを備える。
【０００８】
第３側面によれば、第１または第２側面の構成に加えて、前記ハウジングユニットは、前記体験室の側面に配置されて、前記体験室の側面を塞ぐ透明部材を備える。
【０００９】
第４側面によれば、第１〜第３側面のいずれかの構成に加えて、前記雨滴生成装置は、前記体験室ごとに天井面に設置され天井裏の空間および室内空間を相互に接続するルーバーと、前記体験室ごとに天井裏から前記ルーバーに向かって噴霧ノズルから水を噴霧する噴霧装置と、前記体験室ごとに天井裏から前記ルーバーを通過して前記室内空間に向かって送風する送風機とを備える。
【００１０】
第５側面によれば、第４側面の構成に加えて、前記送風機は、下向きに開放される閉塞空間内に配置されて、鉛直軸回りに回転して下向きに気流を送り出す軸流れ式の送風ブレードを備える。
【００１１】
第６側面によれば、第４または第５側面の構成に加えて、降雨体験装置は、前記噴霧ノズルに接続される減圧バルブと、前記減圧バルブに接続されて、個々の前記減圧バルブに水を供給する１台のポンプとを備える。
【００１２】
第７側面によれば、第６側面の構成に加えて、降雨体験装置は、前記ポンプに接続されて、前記ポンプで吸い上げられる水を貯留する貯水タンクと、前記体験室の床面に降った水を回収して前記貯水タンクに導く排水回収路とを備える。
【発明の効果】
【００１３】
第１側面によれば、雨滴生成装置は体験室ごとに特定の降雨量の降雨を再現することができる。利用者は、動線に沿って順番に体験室を通過することで降雨を体験することができる。こうした体験の提供にあたって、結合されるユニット数に応じてハウジングの大きさは決定される。設置スペースに合わせてハウジングの大きさは選択されることができる。小さな設置スペースであっても降雨体験装置を設置できるだけでなく、大きな設置スペースが確保されれば、体験室を増加させてさらに効率的に降雨を体験してもらうことができる。
【００１４】
第２側面によれば、ハウジングは体験室ごとにハウジングユニットに分解される上に、個々のハウジングユニットは屋根構成体、室構成体および床下構成体に分解されるので、個々の構成要素ごとに良好な可搬性が確保される。降雨体験装置は様々な場所で組み立てられることができる。体験者の対象範囲は広がる。
【００１５】
第３側面によれば、周囲の環境光は透明部材を透過して体験室に進入する。体験室内は周囲の環境と同等な明るさに維持される。こうして現実の降雨時よりも明るい環境で降雨が再現されることで、降雨以外の恐怖心を取り除いた降雨そのものの危険性が体験されることができる。その結果、大雨の際に避難にあたって的確な判断の実現に貢献することができる。
【００１６】
第４側面によれば、噴霧ノズルから噴霧された微細な水滴はルーバーに当たって雨滴として集積しルーバーから体験室に落下する。送風機の送風は雨滴の落下を促進する。こうして自然な降り方の降雨が再現される。体験室ごとにルーバー、噴霧装置および送風機は設置されるので、利用者は体験室ごとに明確に降雨量を意識することができる。
【００１７】
第５側面によれば、送風ブレードが鉛直軸回りで回転すると、鉛直軸に沿って下方に向かう気流が生成される。気流の生成にあたって閉塞空間には送風ブレードの周囲で下方から空気が流れ込む。空気中の物体は重力の作用で落下することから、送風ブレードに対して空気以外に物体の吸い込みは極力抑制されることができる。
【００１８】
第６側面によれば、噴霧ノズルおよび減圧バルブの調整に応じて１台のポンプで複数種類の降雨量は実現されることができる。
【００１９】
第７側面によれば、噴霧装置から体験室の床面に雨滴は降り落ちる。雨滴は床面を伝って排水回収路から貯水タンクに導かれる。ポンプは貯水タンクから水を吸い上げる。水は再び貯水タンクから噴霧装置に供給される。水の循環に従って水は繰り返し使用される。水の使用量は節減される。
【図面の簡単な説明】
【００２０】
【図１】本発明の第１実施形態に係る降雨体験装置の構成を概略的に示す側面図である。
【図２】図１の２−２線に沿った垂直断面図である。
【図３】ルーバーの拡大平面図である。
【図４】図３の４−４線に沿った断面図である。
【図５】図３の５−５線に沿った断面図である。
【図６】給水装置および制御系の構成を概略的に示す模式図である。
【図７】図２に対応し、１ハウジングユニットの分解図である。
【図８】第２実施形態に係る降雨体験装置の構成を概略的に示す側面図である。
【発明を実施するための形態】
【００２１】
以下、添付図面を参照しつつ本発明の実施形態を説明する。
【００２２】
図１は本発明の第１実施形態に係る降雨体験装置１１の構成を概略的に示す。降雨体験装置１１はハウジング１２を備える。ハウジング１２は水平な地面Ｇといった基準面上に設置される。ハウジング１２には入口１３および出口１４が設定される。ハウジング１２内の空間には入口１３から出口１４に向かって１本の動線１５が形成される。利用者は入口１３から出口１４に向かって動線１５に沿ってハウジング１２内の空間を通過することができる。
【００２３】
ハウジング１２には、地面Ｇから所定の高さで水平面に沿って広がる床面１６が規定される。床面１６上にハウジング１２の室内空間は区画される。利用者は入口１３から出口１４に向かって床面１６を歩行する。ハウジング１２の入口端には踏み段１８が結合される。踏み段１８は地面Ｇから床面１６まで一定の高さ間隔で段差面を形成する。同様に、ハウジング１２の出口端には踏み段１９が結合される。踏み段１９は床面１６から地面Ｇまで一定の高さ間隔で段差面を形成する。
【００２４】
ハウジング１２は、個々に室内空間を区画する複数のハウジングユニット２１ａ、２１ｂ、２１ｃ、２１ｄを有する。個々の室内空間は後述されるように体験室２２ａ、２２ｂ、２２ｃ、２２ｄを構成する。ハウジングユニット２１ａ〜２１ｄは地面Ｇに垂直な平面（分割面）２３ａ、２３ｂ、２３ｃで相互に分離可能に結合される。ここでは、ハウジングユニット２１ａ〜２１ｄは直列に一列に連結される。ハウジング１２内には動線１５に沿って直列に複数の体験室２２ａ〜２２ｄが配置される。
【００２５】
個々のハウジングユニット２１ａ〜２１ｄは、室内空間の骨格を構成するフレーム２４を備える。フレーム２４はステンレス鋼やアルミニウムといった構造材で構成される。フレーム２４は、地面Ｇから直立する４本の支柱２５を含む。室内空間は、支柱２５で規定される４つの稜線を有する直方体で形成される。支柱２５の上端は四角い枠体２６の４角にそれぞれ結合される。支柱２４の下端は同様に四角い枠体２７の４角にそれぞれ結合される。こうして直方体の稜線ごとに構造材が配置されることでフレーム２４の剛性は十分に確保される。
【００２６】
ここでは、ハウジングユニット２１ａ〜２１ｄの側面でフレーム２４には横桟２８が結合される。横桟２８は地面Ｇに平行に水平方向に延びて支柱２５同士を接続する。ハウジングユニット２１ａ〜２１ｄの側面には透明のビニールカーテン（透明部材）２９が配置される。こうして体験室２２ａ〜２２ｄの側面はビニールカーテン２９で塞がれる。その他、体験室２２ａ〜２２ｄの側面には、ビニールカーテン２９に代えて透明なアクリル板といった板材が嵌め込まれてもよい。
【００２７】
図２に示されるように、個々のハウジングユニット２１ａ〜２１ｄは、体験室２２ａ〜２２ｄとなる室内空間を区画する室構成体３２と、室構成体３２の天井端に連結される屋根構成体３３と、室構成体３２の床面端に連結される床下構成体３４とを備える。室構成体３２は前述のフレーム２４に加えて床構造体３５を有する。床構造体３５は、室内空間の輪郭に沿って支柱２５に連結される床枠体３６を備える。床枠体３６はフレーム２４と同様に構造材で形成されればよい。床板３７は動線１５の方向に沿って前後の枠部材３６ａに渡される。床板３７は例えばステンレス鋼のパンチングメタルで形成される。パンチングメタルは水の透過（流通）を許容する。床板３７の表面にはノンスリップマット３８が敷き詰められる。ノンスリップマット３８は例えばゴム材から成形されればよい。ノンスリップマット３８はパンチングメタルと同様に水の透過を許容する。床枠体３６は、動線１５の方向に沿って前後に延びて前後の枠部材３６ａ同士を連結し、下方から床板３７を支持する補強部材３９を有してもよい。補強部材３９は、床板３７の剛性を補強し、利用者の歩行時に床面の揺れ（撓り）を抑制する。
【００２８】
床枠体３６には、動線１５に沿って床板３７の左右両側にサイド板４１が固定される。サイド板４１は連続板で形成される。この連続板は水の透過を阻止する。サイド板４１には室内空間の輪郭から内側に向かうにつれて下る勾配が設定される。こうした勾配の働きで、サイド板４１の表面に降り落ちた水は床板３７に向かって流れる。
【００２９】
屋根構成体３３はハウジングユニット２１ａ〜２１ｄごとにハウジング１２の屋根を形成する。屋根構成体３３は天井裏の空間４２を区画する。屋根構成体３３は、屋根の形状を規定する骨格材４３と、規定の水平面４４よりも上方で骨格材４３に結合される外板４５と、規定の水平面４４から下方で骨格材４３に結合される通風板４６とを備える。外板４５は例えば樹脂製の連続板から形成される。連続板は空気の透過を阻止する。外板４５は水平面４４よりも上方で上側空間４７ａを囲む。上側空間４７ａは、下向きに開放される閉塞空間を形成する。通風板４６は例えばステンレス鋼板のパンチングメタルで形成される。通風板４６は空気の流通を許容する。通風板４６は水平面４４よりも下方で下側空間４７ｂを囲む。上側空間４７ａには下側空間４７ｂから空気が流れ込む。下側空間４７ｂには外側から空気が流れ込むことができる。したがって、空気に混入する物体は重力の作用に応じて下側空間４７ｂから下方に落下し、上側空間４７ａに流れ込む空気から物体は除去されることができる。
【００３０】
床下構成体３４は床下空間を区画する。床下空間には回収パン５１が配置される。回収パン５１は、水平面に沿って広がる底板５２ａと、底板５２ａの輪郭から上方に立ち上がって底板５２ａ上に水を湛える囲繞壁５２ｂと、囲繞壁５２ｂの上端から水平面に沿って外側に広がって床下構成体３４に重ねられる取り付け片５２ｃとを備える。取り付け片５２ｃは例えばビスで床下構成体３４に結合される。床下構成体５２ｃがフレーム２４に組み込まれると、回収パン５１の底板５２ａは床板３７の裏側に向き合わせられる。室内空間から床板３７を通過する水は回収パン５１で回収される。
【００３１】
降雨体験装置１１は、体験室２２ａ〜２２ｄごとに設定される降雨量に従って雨滴を生成する雨滴生成装置５３を備える。雨滴生成装置５３は、ハウジングユニット２１ａ〜２１ｄごとに体験室２２ａ〜２２ｄの天井面に設置されるルーバー５４と、ハウジングユニット２１ａ〜２１ｄごとに屋根構成体３３に組み入れられる噴霧装置５５と、ハウジングユニット２１ａ〜２１ｄごとに屋根構成体３３に組み入れられる送風機５６とを備える。ルーバー５４は天井裏の空間および室内空間を相互に接続する。ルーバー５４の詳細は後述される。ルーバー５４は、例えばビスなどでフレーム２４の上端に固定されて室構成体３２に支持されてもよく、屋根構成体３３の下端に結合されて屋根構成体３３に組み込まれてもよい。
【００３２】
噴霧装置５５は噴霧ノズル５７を備える。噴霧ノズル５７は、天井裏からルーバー５４に向かって水を噴霧する。ここでは、四角いルーバー５４の全面にわたって噴霧が行き渡ることが望まれる。したがって、噴霧の形状や流量などに応じて噴霧ノズル５７は１つであっても複数であってもよい。ハウジングユニット２１ａ〜２１ｄごとにノズル口径は設定される。ノズル口径に応じて降雨量［ｍｍ／時間］は設定されることができる。個々の噴霧ノズル５７には給水装置から水が供給される。給水装置の詳細は後述される。
【００３３】
送風機５６は軸流れ式の送風ブレード５８を備える。送風ブレード５８の回転軸線５８ａは重力方向すなわち鉛直方向に配置される。送風ブレード５８の回転動作に応じて重力方向に下方に向かって気流は生成される。送風機５６は体験室２２ａ〜２２ｄごとに天井裏から室内空間に向かって気流を生成する。送風機５６は屋根構成体３３の上側空間４７ａ内に配置されることから、送風ブレード５８に対して空気以外に物体の吸い込みは極力抑制されることができる。
【００３４】
図３に示されるように、ルーバー５４は、四角い枠体６１を有し、四角の一辺に平行に縦方向に延びる複数の第１帯板６２ａと、当該一辺に直交する一辺に平行に横方向に延びる複数の第２帯板６２ｂとを備える。第１帯板６２ａ群と第２帯板６２ｂ群とは相互に交差して結合される。図４に示されるように、個々の第１帯板６２ａは、長手方向の中心線回りで回転して重力方向に対して規定の傾斜角αで傾斜する板面６３ａを有する。第１帯板６２ａは相互に平行に延びて規定の間隔で横方向に並べられる。図５に示されるように、個々の第２帯板６２ｂは、長手方向の中心線回りで回転して重力方向に対して規定の傾斜角βで傾斜する板面６３ｂを有する。第２帯板６２ｂは相互に平行に延びて規定の間隔で縦方向に並べられる。
【００３５】
図６に示されるように、給水装置６５は、ハウジングユニット２１ａ〜２１ｄごとに噴霧ノズル５７に接続される減圧バルブ６５ａ、６５ｂ、６５ｃ、６５ｄと、減圧バルブ６５ａ〜６５ｄに接続されて、個々の減圧バルブ６５ａ〜６５ｄに水を供給する１台のポンプ６７とを備える。ポンプ６７の吐出口６７ａは配管６８で個々の噴霧ノズル５７に接続される。配管６８は、ポンプ６７の吐出口６７ａに結合される共通管６９と、共通管６９から分岐して個々のハウジングユニット２１ａ〜２１ｄに接続される分岐管７１ａ、７１ｂ、７１ｃ、７１ｄとを有する。個々の分岐管７１ａ〜７１ｄに減圧バルブ６５ａ〜６５ｄは挿入される。個々の減圧バルブ６６ａ〜６６ｄはノズル口径に応じて分岐管７１ａ〜７１ｄの絞り度を設定する。ノズル口径に拘わらず減圧バルブ６６ａ〜６６ｄよりも下流で圧力は一定に維持される。
【００３６】
ポンプ６７および共通管６９は例えば１ハウジングユニット２１ａの床下構成体３４に組み込まれる。分岐管７１ａ〜７１ｄは、床下構成体３４に組み込まれて、個々に給水口７２を区画する上流管と、給水口７２に分離可能に結合されて、対応のハウジングユニット２１ｂ、２１ｃ、２１ｄまで延びる下流管７３とを有する。下流管７３は、目的のハウジングユニット２１ｂ、２１ｃ、２１ｄまで連続する管材で形成されてもよく、ハウジングユニット２１ｂ、２１ｃ、２１ｄごとに分割されてハウジングユニット２１ａ〜２１ｄの結合時に相互に連結される複数の管材で形成されてもよい。管材同士は分割面２３ａ、２３ｂ、２３ｄで相互に接続されればよい。
【００３７】
給水装置６５は、ポンプ６７の吸込口６７ｂに接続されて、ポンプ６７で吸い上げられる水を貯留する貯水タンク７５を備える。貯水タンク７５は例えば１ハウジングユニット２１ａの床下構成体３４に組み込まれる。貯水タンク７５には排水回収路７６が接続される。排水回収路７６は個々の回収パン５１に接続される。体験室２２ａ〜２２ｄの床面に降った水は回収パン５１で回収されて排水回収路７６から貯水タンク７５に導かれる。排水回収路７６は、例えばハウジングユニット２１ａ〜２１ｄごとに分割されてハウジングユニット２１ａ〜２１ｄの結合時に相互に連結される複数の管材で形成されればよい。
【００３８】
降雨体験装置１１は制御盤７７を備える。制御盤７７は例えば電子制御ユニット（ＥＣＵ）で形成されればよい。制御盤７７には、ポンプ６７のモーター、噴霧ノズル５７の開閉弁および送風機５６のモーターが信号線７８で接続される。制御盤７７は、「スタート」「ストップ」スイッチ７９の動作に応じてポンプ６７、噴霧ノズル５７および送風機５６の動作を制御する。これら制御にあたって、ポンプ６７のモーター、噴霧ノズル５７の開閉弁および送風機５６のモーターには制御盤７７から駆動信号が供給される。
【００３９】
次に降雨体験装置１１の動作を説明する。図７に示されるように、使用にあたって個々のハウジングユニット２１ａ〜２１ｄで床下構成体３４、室構成体３２および屋根構成体３３は組み立てられる。組み立てに先立ってハウジングユニット２１ａ〜２１ｄの構成は決定される。決定された構成に応じてハウジングユニット２１ａ〜２１ｄの数や配置は特定される。ここでは、４つのハウジングユニット２１ａ〜２１ｄが動線１５に沿って直列に結合される。ハウジングユニット２１ａ〜２１ｄごとに床下構成体３４、室構成体３２および屋根構成体３３が順番に組み立てられていってもよく、全ての床下構成体３４が結合された後に室構成体３２および屋根構成体３３が順番に積み上げられていってもよい。
【００４０】
ハウジングユニット２１ａ〜２１ｄごとに降雨量が設定される。降雨量は噴霧ノズル５７の口径で特定される。ここでは、入口１３から順番に１時間当たり３０ｍｍ、１時間当たり５０ｍｍ、１時間当たり１００ｍｍおよび１時間当たり１５０ｍｍの降雨量に相当する口径が設定される。分岐管７１ａ〜７１ｄの管材が順番に連結されると、ポンプ６７から噴霧ノズル５７に向かって給水路は確立される。床下構成体３４の管材が順番に連結されると、回収パン５１から貯水タンク７５に向かって排水回収路７６は確立される。こうして給水装置６５は構築される。貯水タンク７５は水で満たされる。
【００４１】
「スタート」スイッチ７９が操作されると、制御盤７７から駆動信号が出力され、ポンプ６７、噴霧ノズル５７および送風機５６は動作を開始する。ポンプ６７から減圧バルブ６６ａ〜６６ｄを経て噴霧ノズル５７に水は供給される。噴霧ノズル５７から水は下向きにルーバー５４に向かって噴霧される。噴霧された微細な水滴はルーバー５４に当たって雨滴として集積しルーバー５４から体験室２２ａ〜２２ｄに落下する。送風機５６の送風は雨滴の落下を促進する。こうして自然な降り方の降雨が再現される。体験室２２ａ〜２２ｄごとにルーバー５４、噴霧装置５５および送風機５６は設置されるので、利用者は体験室２２ａ〜２２ｄごとに明確に降雨量を意識することができる。体験室２２ａ〜２２ｄごとに室内空間の壁面には降雨量を示す表示が提示されてもよい。
【００４２】
噴霧装置５５から体験室２２ａ〜２２ｄの床面に雨滴は降り落ちる。雨滴はノンスリップマット３８および床板３７を通過して回収パン５１に流れ込む。回収パン５１の水は排水回収路７６から貯水タンク７５に導かれる。ポンプ６７は貯水タンク７５から水を吸い上げる。水は再び貯水タンク７５から噴霧装置５５に供給される。水の循環に従って水は繰り返し使用される。水の使用量は節減される。
【００４３】
利用者はハウジング１２の入口１３から歩きながら順番に体験室２１ａ〜２１ｄを通過する。利用者は傘を差してもよく雨合羽を羽織ってもよい。利用者は、歩くことでリアルに降雨を体感することができ、足元の具合を観察することができる。体験室２２ａ〜２２ｄごとに特定の降雨量の降雨は再現されることから、利用者は降雨量に応じて降雨の様子を比較することができる。「ストップ」スイッチ７９が操作されると、ポンプ６７、噴霧ノズル５７および送風機５６の動作は停止する。
【００４４】
以上のような降雨体験装置１１では、ハウジング１２の形成にあたって、個々に体験室２２ａ〜２２ｄを区画するハウジングユニット２１ａ〜２１ｄが相互に分離可能に結合される。結合されるユニット数に応じてハウジング１２の大きさは決定される。設置スペースに合わせてハウジング１２の大きさは選択されることができる。したがって、ユニット数が減少すれば、小さな設置スペースであっても降雨体験装置１１を設置できるだけでなく、大きな設置スペースが確保されれば、体験室を増加させてさらに効率的に降雨を体験してもらうことができる。
【００４５】
ハウジング１２は体験室２２ａ〜２２ｄごとにハウジングユニット２１ａ〜２１ｄに分解される上に、個々のハウジングユニット２１ａ〜２１ｄは屋根構成体３３、室構成体３２および床下構成体３４に分解されるので、個々の構成要素ごとに良好な可搬性が確保される。降雨体験装置１１は様々な場所で組み立てられることができる。体験者の対象範囲は広がる。
【００４６】
ハウジングユニット２１ａ〜２１ｄの側面は透明なビニールカーテン２９で塞がれる。ハウジングユニット２１ａ〜２１ｄの側面から雨滴の放出は阻止される。雨滴は確実に回収パン５１で回収される。しかも、周囲の環境光はビニールカーテン２９を透過して体験室２２ａ〜２２ｄに進入する。体験室２２ａ〜２２ｄ内は周囲の環境と同等な明るさに維持される。こうして現実の降雨時よりも明るい環境で降雨が再現されることで、降雨以外の恐怖心を取り除いた降雨そのものの危険性が体験されることができる。その結果、大雨の際に避難にあたって的確な判断の実現に貢献することができる。
【００４７】
降雨の再現にあたって、送風ブレード５８が回転軸線５８ａ回りで回転すると、回転軸線５８ａに沿って下方に向かう気流が生成される。気流の生成にあたって閉塞空間たる上側空間４７ａには送風ブレード５８の周囲で下方から空気が流れ込む。空気中の物体は重力の作用で落下することから、送風ブレード５８に対して空気以外に物体の吸い込みは極力抑制されることができる。
【００４８】
ハウジングユニット２１ａ〜２１ｄごとに噴霧ノズル５７には減圧バルブが接続される。全ての噴霧ノズル５７に共通に１台のポンプ６７は接続される。噴霧ノズル５７および減圧バルブ６６ａ〜６６ｄの調整に応じて１台のポンプ６７で複数種類の降雨量は実現されることができる。
【００４９】
図７は本発明の第２実施形態に係る降雨体験装置８１を概略的に示す。この降雨体験装置８１ではハウジング１２は２つのハウジングユニット８２ａ、８２ｂで構成される。ハウジングユニット８２ａは第１実施形態のハウジングユニット２１ａに相当し、ハウジングユニット８２ｂは第１実施形態のハウジングユニット２１ｄに相当すればよい。ただし、個々のハウジングユニット８２ａ、８２ｂでは、噴霧ノズル５７の口径は変更されることができ、口径に応じて減圧バルブ６６ａ、６６ｄの絞り度は変更されることができる。同様に、噴霧ノズル５７の口径に応じて送風機５６の送風量は設定されることができる。
【００５０】
ここでは、ハウジングユニット８２ａ、８２ｂごとに複数種類の降雨量が設定される。例えば最初の体験ルーチンでは入口１３から順番に１時間当たり３０ｍｍおよび１時間当たり５０ｍｍの降雨量が設定される。一通り利用者の体験が終了すると、２回目の体験ルーチンが設定され、入口１３から順番に１時間当たり１００ｍｍおよび１時間当たり１５０ｍｍの降雨量が設定される。こうしてユニット数が少なくとも、入口１３から出口１４まで複数回にわたって歩行が繰り返されることで、利用者はより多くの降雨量を体験することができる。
【符号の説明】
【００５１】
１１…降雨体験装置、１２…ハウジング、１５…動線、２１ａ…ハウジングユニット、２１ｂ…ハウジングユニット、２１ｃ…ハウジングユニット、２１ｄ…ハウジングユニット、２２ａ…体験室、２２ｂ…体験室、２２ｃ…体験室、２２ｄ…体験室、２９…透明部材（ビニールカーテン）、３２…室構成体、３３…屋根構成体、３４…床下構成体、４７ａ…閉塞空間（上側空間）、５３…雨滴生成装置、５４…ルーバー、５５…噴霧装置、５６…送風機、５７…噴霧ノズル、５８…送風ブレード、５８ａ…鉛直軸（回転軸線）、６６ａ…減圧バルブ、６６ｂ…減圧バルブ、６６ｃ…減圧バルブ、６６ｄ…減圧バルブ、６７…ポンプ、７５…貯水タンク、７６…排水回収路、８２ａ…ハウジングユニット、８２ｂ…ハウジングユニット。
【図１】
0006719112.tif 000002
【図２】
0006719112.tif 000003
【図３】
0006719112.tif 000004
【図４】
0006719112.tif 000005
【図５】
0006719112.tif 000006
【図６】
0006719112.tif 000007
【図７】
0006719112.tif 000008
【図８】
0006719112.tif 000009